(57)【要約】【課題】消費電力が少なく効率の良い、生産設備におけるエア供給装置を提供することを目的とするものである。【解決手段】生産機器におけるモータ１で駆動される駆動軸２の回転動力を、タイミングベルト８，８ａとクラッチ４，４ａを介してエア発生機器である圧縮機６、ブロワ５の駆動源とし、別個の駆動源である電源７，７ａとの切り替えを可能とした構成のエア供給装置であり、消費電力の大幅削減とメンテナンス性の向上および信頼性の向上が図れるという効果を有する。【選択図】図１
2006170161.tif 000002
【特許請求の範囲】
【請求項１】
生産機器における駆動軸の回転動力を、エア発生機器の駆動源としてなるエア供給装置。
【請求項２】
エア発生機器にブロワを使用してなる請求項１に記載のエア供給装置。
【請求項３】
エア発生機器に圧縮機を使用してなる請求項１に記載のエア供給装置。
【請求項４】
エア発生機器の駆動源として、別個の電源との切り替えを可能としてなる請求項１〜３のいずれか１つに記載のエア供給装置。
【発明の詳細な説明】
【技術分野】
【０００１】
本発明は、各種部材の加工や組み立てなどの生産設備に使用するエア供給装置に関するものである。
【背景技術】
【０００２】
従来の生産設備に使用するエア供給装置としては、高圧エアを工場すなわち生産設備とは別個のエア源より、また低圧エアはブロワを用いて供給する方式が用いられていた。
【０００３】
すなわち、図２の従来におけるエア供給装置の構成要部斜視図に示すように、高圧エア１０は、工場エア源２０よりフィルタ２１、レギュレータ２２を経由して、生産機器（設備）のシリンダ１１の駆動制御用などに供給される。
【０００４】
ここで、一般の高圧エア１０は、例えば３００〜５００Ｋｐａのレベルで使用されるのであり、また塵やごみなどの除去のためのごみ除去体１２に使用するブロワ５による低圧エア９は、例えば３０〜５０Ｋｐａのレベルである。
【０００５】
なお、７ａはブロワ５駆動用の交流（商用）あるいは直流の電源、１はモータ、２は駆動軸、３は軸受であり、駆動ベルト１４やカム１３などを介して、生産機器（設備）の必要な動力を所定箇所へ伝達する。
【０００６】
前記における高圧エア１０、あるいは低圧エア９の使用量は、使用する部材、構成あるいは製品などにより異なるのである。
【０００７】
なお、この出願に関する先行技術文献情報としては、例えば、特許文献１が知られている。
【特許文献１】特開２００１−１４１２３１号公報
【発明の開示】
【発明が解決しようとする課題】
【０００８】
しかしながら、前記従来のエア供給装置では、高圧エアを工場エア源より、また低圧エアをブロワより供給する方式であり、高圧エアに関しては、個々の生産設備（機器）に対して不要な大型のコンプレッサを必要として電力消費量が多く、また工場エア源から生産機器（設備）までの配管において、エア漏れなどのロスが有り、低圧エアに関しては、別電源で駆動されるブロワにより供給され消費電力が多く、いずれも省エネルギーの観点から効率が悪いという課題を有していた。
【０００９】
本発明は、前記課題を解決しようとするものであり、消費電力が少なく、効率の良い生産設備におけるエア供給装置を提供することを目的とするものである。
【課題を解決するための手段】
【００１０】
前記目的を達成するために、本発明は以下の構成を有するものである。
【００１１】
本発明の請求項１に記載の発明は、特に、生産機器における駆動軸の回転動力を、エア発生機器の駆動源としてなるという構成を有しており、これにより、生産機器の稼働中は別個の電力消費を無くすことができ、消費電力の削減による効率向上が図れるという作用効果を有する。
【００１２】
本発明の請求項２に記載の発明は、特に、エア発生機器にブロワを使用してなるという構成を有しており、これにより、生産機器の稼働中はブロワの駆動用電力が不要となり、消費電力の削減による効率向上が図れるという作用効果を有する。
【００１３】
本発明の請求項３に記載の発明は、特に、エア発生機器に圧縮機を使用してなるという構成を有しており、これにより、配管が不要となりメンテナンスの不要およびエア漏れのロスがなくなり、また生産機器の稼働中は圧縮機の駆動用電力が不要となり、消費電力の削減による効率向上が図れるという作用効果を有する。
【００１４】
本発明の請求項４に記載の発明は、特に、エア発生機器の駆動源として、別個の電源との切り替えを可能としてなるという構成を有しており、これにより、生産機器の停止の際は別個の電源駆動が可能で、設備稼動の信頼性が向上し、また生産機器の稼働中はエア供給用の駆動用電力が不要となり、消費電力の削減による効率向上が図れるという作用効果を有する。
【発明の効果】
【００１５】
本発明のエア供給装置は、生産設備（機器）の駆動軸の回転動力でエア発生機器を駆動させ、また別個の電源との切り替えが可能な構成であり、消費電力の大幅な削減による効率向上、メンテナンス性の向上および信頼性の向上が図れるという効果を有する。
【発明を実施するための最良の形態】
【００１６】
以下、実施の形態を用いて、本発明の特に請求項１〜４に記載の発明について図面を参照しながら説明する。
【００１７】
なお、背景の技術において説明したものと同一の構成部材などについては、同一の符号を付与し詳細な説明は省略する。
【００１８】
図１は、本発明の実施の形態におけるエア供給装置の構成要部斜視図である。図１において、１はモータ、２は駆動軸、３は軸受であり、直接あるいはカム１３などを介して、生産設備（機器）の必要な箇所へ動力を伝達したり、必要箇所を駆動させたりする。
【００１９】
８，８ａは片側を駆動軸２に懸架したタイミングベルトであり、タイミングベルト８ａおよびクラッチ４ａを介してブロワ５に、そしてタイミングベルト８およびクラッチ４を介して圧縮機６に駆動軸２の回転動力を伝達する。
【００２０】
以上の構成において、エア発生機器であるブロワ５の動作は、生産機器の稼働中はクラッチ４ａをＯＮとし、また電源７ａをＯＦＦとして駆動軸２より回転動力をブロワ５に供給してブロワ５を駆動し、低圧エア９をごみ除去体１２に例えば３０〜５０ＫＰａのレベルで供給するのである。
【００２１】
これにより電源７ａにおける電力消費をゼロにでき、さらに生産機器の停止の際には、クラッチ４ａをＯＦＦとし、電源７ａをＯＮにすれば必要に応じてブロワ５の駆動を継続することができる。
【００２２】
高圧エア１０供給用のエア発生機器である圧縮機６についても、生産機器の稼働中はクラッチ４をＯＮとし、また電源７をＯＦＦとして駆動軸２より回転動力を圧縮機６に供給して圧縮機６を駆動し、高圧エア１０を例えば３００〜５００ＫＰａのレベルで、各種機構や箇所（部分）などを駆動するためのシリンダ１１に供給するのである。
【００２３】
これにより電源７における電力消費をゼロにでき、さらに生産機器の停止の際には、クラッチ４をＯＦＦとし、電源７をＯＮにすれば必要に応じて圧縮機６の駆動を継続することができるのである。
【００２４】
以上のように本発明によれば、生産機器（設備）の駆動軸の回転動力をエア発生機器の駆動源として使用し、また別個の電源との切り替えを可能とした構成であり、消費電力の大幅削減とメンテナンス性の向上および信頼性の向上が図れるのである。
【産業上の利用可能性】
【００２５】
本発明にかかるエア供給装置は、消費電力の大幅削減とメンテナンス性の向上および信頼性の向上が図れるという効果を有し、エア源を必要とする各種部材の加工や組み立てなどの生産機器などへの用途として有用である。
【図面の簡単な説明】
【００２６】
【図１】本発明の実施の形態におけるエア供給装置の構成要部斜視図
【図２】従来におけるエア供給装置の構成要部斜視図
【符号の説明】
【００２７】
１  モータ
２  駆動軸
３  軸受
４，４ａ  クラッチ
５  ブロワ
６  圧縮機
７，７ａ  電源
８，８ａ  タイミングベルト
９  低圧エア
１０  高圧エア
１１  シリンダ
１２  ごみ除去体
１３  カム
１４  駆動ベルト
２０  工場エア源
２１  フィルタ
２２  レギュレータ
【図１】
2006170161.tif 000003
【図２】
2006170161.tif 000004